(57)【要約】【課題】排水性と通気性を保って容器内での根詰まりを無くし、路地植えに近い環境で栽培植物の成長を促進させ、移動や植え替えをするときの根の傷みを少なくする。【解決手段】上部が開口する周壁１１と底板１２をそなえた容器本体１と、容器本体１の底板１２の一部を残して下方に突出させ容器本体内部と連通する小鉢体２をそなえ、小鉢体２を囲んで段部ａを形成する容器本体１の底板１２および小鉢体２の底板２２に、それぞれ通水孔３、４を設ける。前記通水孔の少なくとも段部ａに設けた通水孔３は、伸びた根を自由に通し得る大きさにしてある。この容器の使用時は小鉢体２を地面に埋めた状態て栽培する。【選択図】        図１
2004187568.tif 000002
【特許請求の範囲】
【請求項１】
上部が開口する容器本体の底板に、底板の一部を残して下方に突出させ容器本体内部と連通する小鉢体を設け、小鉢体を囲んで段部を形成する容器本体の底板と小鉢体の底板にそれぞれ通水孔をそなえ、少なくとも前記段部の通水孔が伸びた根を自由に通し得る大きさを有し、小鉢体を土に埋めて使用することを特徴とする植物栽培容器。
【請求項２】
前記小鉢体が順次に小さくした多段に形成され、各段の底板に通水孔をそなえた請求項１の植物栽培容器。
【発明の詳細な説明】
【０００１】
【発明の属する技術分野】
本発明は、花や野菜、苗木などを栽培する植物栽培容器、とくに仮植用に適した容器に関するものである。
【０００２】
【従来の技術】
植物の栽培は、管理が容易で生育を良くするためには地面に直接植える路地植え栽培が好ましいが、植物によっては連作ができないだけでなく、仮植えを必要とする場合がある。しかし、仮植えの場合に路地植えを行うと、定植のために掘り起こすときに根を傷つけやすいため鉢植えが採用されている。また、仮植えでなくても、場所の管理や移動などを考慮した場合も鉢植えが行われている。
しかるに、従来一般に用いられている植木鉢は、底板に水抜き孔を設けた陶磁器やプラスティック製のコップ状のものが用いられており、給水や通気性を保たせるために種々の構造が提案されている。
【０００３】
【特許文献１】特開平７−２０３７８６号公報
この発明は、給水路に載置した鉢の底から水を吸い上げる底面潅水における導水部材が非通水状態になることを無くすため、植木鉢底部に前記給水路に浸した導水部材を通す装着孔をそなえており、この装着孔の周囲の底板を下方に傾斜させ、その下縁になる装着孔の周囲を上方に曲げ、底板の下面に装着孔を囲んで導水部材の装着を容易にするガイド筒を設けている。
したがって、給水路が満水するたびに鉢内の土壌が吸い込んだ過剰な水が傾斜部に溜まり、この傾斜部に密着させた導水部材を介して排水させることによって導水部材の非通水状態を解除しており、前記ガイド筒は導水部材を装着しやすくするものである。
【０００４】
【特許文献２】特開２０００−１７５５６６号公報
この公報に示されている植物栽培容器は、周壁や底壁のいずれかに外側に突出する舌状片を形成するための切り込みを設け、培土を入れることにより排水孔として機能させるとともに、通気孔として作用させるようにしている。
【０００５】
【特許文献３】実開平２−２０４４１号公報
この考案の植木鉢は、植木鉢の底部に植木鉢内につながる空洞の膨出部を適当数形成し、底部と膨出部の双方に通水孔をそなえている。この膨出部は鉢の底部が地面やマットなどの載置平面に密着しないように、従来の板状の脚部に替えて形成されたもので、鉢が倒れないように底面の周辺に設けられており、この膨出部を載置平面に接触させ、マット栽培では膨出部の通水孔から給水し、一般栽培では膨出部を脚として底面に通気させ、底板の通水孔から排水させるようにしたものである。
【０００６】
また、仮植えや販売用の植物の育苗鉢として、一般の鉢と同様に底に通水孔を設けたプラスティック製のポットが用いられている。
【０００７】
【発明が解決しようとする課題】
このように、従来の植物栽培用の容器は、移動させるためや路地植えができない場所で植物を栽培するためのものとして用いられており、容器は地面の上や地面とは関係のない場所に置いて使用される。このため、植物は容器内の狭い範囲で生育され、成長して伸びた根が容器内に充満して根詰まりを生じ易く、成長が阻害されて一定の大きさに成長するための期間が長くなっている。なお、栽培する植物に対して必要以上に大きな鉢を用いると、培養土やスペースの無駄を生じるだけでなく、かえって生育に影響を与えることがある。
また、一般の植木鉢に植物を栽培して地面に直接置いて放置した場合に、底の水抜き孔から地面に根が下りることがあるが、この状態で鉢を移動させると水抜き孔が小さいため鉢から出た根を傷め、とくに主根が傷つくと移動後の成育が悪くなったり枯れることもあり、移動できなくなる問題がある。
【０００８】
本発明は、路地植えに近い環境で植物の栽培を行わせ、排水性と通気性を保つとともに、容器内での根詰まりを無くし、とくに移植を行うときに根の傷みを少なくして移植後の活着を良好に行わせる植物栽培用容器を提供する。
【０００９】
【課題を解決するための手段】
このため、上部を開口させた容器本体の底板に、底板の一部を残して下方に突出させることにより容器本体内部と連通する容器本体より小さい小鉢体を一体に形成させ、この小鉢体を囲んで段部を形成する容器本体の底板と、小鉢体の底板に、それぞれ通水孔をそなえ、少なくとも前記段部に設ける通水孔は、栽培する植物の伸びた根が自由に通れる大きさにしており、小鉢体部分を土に埋めて使用する。
なお、前記小鉢体は順次に小さくして多段に形成させることができ、各段の底板に通水孔を設けるようにしてもよい。
【００１０】
【発明の実施の形態】
図１および図２は本発明の実施例を示す側断面図と上面図である。
１は容器本体で、上部に開口する周壁１１と底板１２からなり、開口部周囲の外側につば１３を設けている。２は前記底板１２の中央部分を下方に突出させ、周壁２１と底板２２をそなえた小鉢体で、容器本体１の内部に連通し、前記底板１２が段部ａを形成し、容器本体１を小さくした形状で一体に形成されている。３は容器本体１の底板１２に小鉢体２を囲んで設けた通水孔で、排水のために必要な大きさより大きくしてある。４は小鉢体２の底板に設けた通水孔である。
【００１１】
この植物栽培容器の容器本体１と小鉢体２内に、図３に示すように培養土Ａを入れて容器本体内に植物Ｂを播種または植え込み、小鉢体２を地面あるいはプランターなどの土に埋め込んだ状態で栽培する。
したがって、容器本体１の底板１２で形成される段部ａが地面に接して排水を良好に保ち、段部ａと地面との間に隙間があれば通気性も保たれる。また、小鉢体２が容器本体１と連通しているので培養土Ａが深くなり、根Ｃを十分に伸ばすことができるとともに、小鉢体２が地面に埋め込まれているため、小鉢体２内およびこれに連通する容器本体１の底部分は路地植えと同様の環境になり、温度差の影響を和らげ、地面からの湿気で渇水が少なく保持されて、植物Ｂの生育が良くなる。
さらに、成長に応じて容器本体１内の植物Ｂから出た長い主根Ｃａは小鉢体２まで伸び、周囲の小根Ｃｂは容器本体１内に広がって伸びるので十分な栄養を吸収でき、伸び過ぎた根は、通水孔１２を大きくしてあるので鉢外に出ることができ、容器内の根の巻き込みや根詰まりを生じさせることがない。
また、移植や定植などのため地面から抜き出すときは、小鉢体２を掘り出せばよいので、作業が容易で、通水孔１２から出ている根は小根であるから掘り起こし時に傷んでも後の生育に影響がなく、主根は小鉢体２で保護される。なお、通水孔２２からも根が出ている場合も、この部分は伸び過ぎた根であるため、抜き出しや植え替えのときに通水孔の縁で傷んでも定植後の活着に影響を与えることがない。
【００１２】
なお、図に示した実施例は、四角形状にしているが、この形状に限られず、丸形など適宜の形状にすることができ、容器本体１と小鉢体２の形状を異ならせてもよく、容器本体と小鉢体を偏心した位置に設けてもよい。
図４は、別の実施態様の例を示すもので、小鉢体２の下方に、さらに小さい小鉢体５を設けている。なお、小鉢体を順次に小さくしてさらに多段に形成することができる。また、小鉢体により容器の下側が小さくなっているので、地面などに埋めない状態で置くときに倒れないようにするため、点線で一部分を示すように、小鉢体の周壁に、下端を小鉢体の底板と同一面あるいは底板より下にした３個以上の板状の脚を、縦方向に一体に取り付けることができる。
【００１３】
【発明の効果】
このように本発明は、上部が開口する容器本体の底板に、底板の一部を残して下方に突出させた小鉢体をそなえ、容器本体と小鉢体との段部と小鉢体の底板にそれぞれ通水孔をそなえ、少なくとも前記段部の通水孔は伸びた根が自由に容器外に出られる大きさにし、小鉢体を地面に埋めて使用するので、単なる深い鉢と異なって段部が形成されており、この段部の通水孔で容器本体の排水が有効に行われるとともに、容器本体内の周辺に伸びた小根を容器内から出させ、主根を小鉢体まで長く伸ばすことができ、根の巻き込みを無くして根詰まりを防ぐことができる。また、地面に埋め込まれた小鉢体および小鉢体に連通する容器本体の底部分が路地植えと同様の環境に保たれ、温度差の影響や渇水が少なくなり、植物の成長を促進させる効果が得られる。
【００１４】
また、小鉢体を設けているので、掘り出しが容易になるとともに、掘り出すときに内側の主根を保護でき、容器外に出ている根は、小根や伸び過ぎた根であるため、移植後の生育に必要な根を傷めることがなく、移植や定植などの植え替え後の活着を良好に行わせることができる効果がある。
なお、畑やビニールハウス内などの同じ場所で、毎年繰り返し埋めて使用しても、小鉢体に地面とは異なる培養土を入れているため、同一土地での連作が可能である。
【図面の簡単な説明】
【図１】本発明の実施例を示す側断面図である。
【図２】図１の上面図である。
【図３】使用状態の例を示す側断面図である。
【図４】他の実施例を示す側断面図である。
【符号の説明】
１  容器本体
２、５  小鉢体
３、４  通水孔
１１、１２  周壁
１２、２２  底板
１３  つば
ａ  段部
【図１】
2004187568.tif 000003
【図２】
2004187568.tif 000004
【図３】
2004187568.tif 000005
【図４】
2004187568.tif 000006